(57)【要約】【課題】黒板消しを手に装着することができるハンディタイプとし、チョークを持った手でそのまま黒板の文字等を消すことができ、チョークを持っていない手を自由に使用することができるようにしたハンディ型黒板消しを提供する。【解決手段】片手の小指を挿入する小指挿入部２と該小指挿入部２から小指側の手の側部を包囲するように延長した側当て部３とを有することによって片手に装着して使用するハンディ型黒板消し１であって、少なくとも前記側当て部３に拭取り部材４が設けられたことにより、チョークＣを持った方の手で拭取り部材４を黒板に当てて消すことができるようにしたものである。【選択図】図１
0003113621.tif 000002
【実用新案登録請求の範囲】
【請求項１】
片手の小指を挿入する小指挿入部と該小指挿入部から小指側の手の側部を包囲するように延長した側当て部とを有することによって片手に装着して使用するハンディ型黒板消しであって、少なくとも前記側当て部に拭取り部材が設けられたことにより、チョークを持った方の手で前記拭取り部材を黒板に当てて消すことができるようにしたことを特徴とするハンディ型黒板消し。
【請求項２】
前記拭取り部材は前記側当て部に縫着されたことを特徴とする請求項１記載のハンディ型黒板消し。
【請求項３】
前記拭取り部材は前記側当て部に面ファスナーにより着脱自在に取付けられたことを特徴とする請求項１又は２記載のハンディ型黒板消し。
【請求項４】
前記側当て部から手の甲側と手の平側に延長した延長部をバンドで連結したことを特徴とする請求項１、２又は３記載のハンディ型黒板消し。
【請求項５】
前記側当て部の手首側を面ファスナーを設けたバンドで着脱自在に連結したことを特徴とする請求項１、２、３又は４記載のハンディ型黒板消し。
【考案の詳細な説明】
【技術分野】
【０００１】
本考案は、チョークを持つ片手に装着して、チョークを持った状態でそのまま黒板の文字を消すことができるハンディ型黒板消しに関する。
【背景技術】
【０００２】
従来の一般的な黒板消しとしては、板状の本体と該本体にスポンジ等の弾性部材を介して布等による拭取り部材が固定されて成るものが知られている。
【０００３】
このような黒板消しの従来例を挙げると、特許文献１に示す黒板消しは、図７に示すように、黒板上のチョーク粉をしごき取るエッジを持った多数のチョーク粉取り込み孔２０を有する払拭部２１と、該払拭部２１を一つの面に有する筐体２２と、該筐体２２の一部に設けられた蓋付きチョーク粉放出口２３とを有する構成によるものである。
【０００４】
ところが、特許文献１に記載された黒板消しの使用方法は、従来周知の一般的な黒板消しと同様であり、黒板にチョークで文字等を書いている際に、チョークを持った方の手で黒板の文字等を消すには、そのチョークを一旦置いて、黒板消しに持ち替える必要がある。
【０００５】
このように、利き腕で黒板消しを持つには、チョークを黒板消しに持ち替えるという動作が必要であるため、時間が余分にかかると共に、そのような持ち替えが面倒な場合や、黒板消しがすぐに見つからないような場合には、チョークを持った手の側部を直に黒板に擦りつけて、黒板の文字等を消すようなこともあり、このため手や衣服を汚したりするという不都合が生じていた。
【０００６】
また、従来の黒板消しは比較的大型であったため、黒板の細部を丁寧に消すことが難しいという不都合もあった。
【特許文献１】特開平７―２０５５９５号公報
【考案の開示】
【考案が解決しようとする課題】
【０００７】
本考案は上記の事情に鑑みてなされたもので、黒板消しを手に装着することができるハンディタイプとし、チョークを持った手でそのまま黒板の文字等を消すことができ、チョークを持っていない手を自由に使用することができるようにしたハンディ型黒板消しを提供することを目的とする。
【課題を解決するための手段】
【０００８】
上記の目的を達成するために、本考案の請求項１のハンディ型黒板消しは、片手の小指を挿入する小指挿入部と該小指挿入部から小指側の手の側部を包囲するように延長した側当て部とを有することによって片手に装着して使用するハンディ型黒板消しであって、少なくとも前記側当て部に拭取り部材が設けられたことにより、チョークを持った方の手で前記拭取り部材を黒板に当てて消すことができるようにしたことを特徴とする。
【０００９】
また、本考案の請求項２のハンディ型黒板消しは、請求項１において、前記拭取り部材は前記側当て部に縫着されたことを特徴とする。
【００１０】
また、本考案の請求項３のハンディ型黒板消しは、請求項１又は２において、前記拭取り部材は前記側当て部に面ファスナーにより着脱自在に取付けられたことを特徴とする。
【００１１】
また、本考案の請求項４のハンディ型黒板消しは、請求項１、２又は３において、前記側当て部から手の甲側と手の平側に延長した延長部をバンドで連結したことを特徴とする。
【００１２】
さらに、本考案の請求項５のハンディ型黒板消しは、請求項１、２、３又は４において、前記側当て部の手首側を面ファスナーを設けたバンドで着脱自在に連結したことを特徴とする。
【考案の効果】
【００１３】
本考案のハンディ型黒板消しは、片手の小指を挿入する小指挿入部と該小指挿入部から小指側の手の側部を包囲するように延長した側当て部とを有することによって片手に装着して使用するハンディ型黒板消しであって、少なくとも側当て部に拭取り部材が設けられたことにより、チョークを黒板消しに持ち替えることなく、チョークを持った手の側部の拭取り部材を黒板に擦りつけることによって、チョークで書かれた黒板の文字等を消すことが可能となり、チョークを持っていない手を自由に使用することが可能となる。
【００１４】
上記の本考案における拭取り部材は、側当て部に縫着により容易に取り付けることができ、またこの拭取り部材を側当て部に面ファスナーによって着脱自在に取付けることにより、拭取り部材の簡単な交換が可能となる。
【００１５】
また、側当て部から手の甲側と手の平側に延長した延長部をバンドで連結した構成、或いは側当て部の手首側を面ファスナーを設けたバンドで着脱自在に連結した構成により、ハンディ型黒板消しを手に装着した際のずれを防止し、或いは装着状態における脱落を防止することができる。
【考案を実施するための最良の形態】
【００１６】
以下、本考案の実施例について図面を参照しながら説明する。
【実施例１】
【００１７】
本考案によるハンディ型黒板消し１は、図１に示すように、片手の小指を挿入する小指挿入部２と該小指挿入部２から小指側の手の側部を包囲するように延長した側当て部３とを有することによって片手に装着して使用するハンディ型黒板消し１であって、少なくとも前記側当て部３に拭取り部材４が設けられたことにより、チョークＣを持った方の手で拭取り部材４を黒板Ｂに当てて消すことができるようにしたものである。
【００１８】
このような本考案のハンディ型黒板消しについて詳細に述べると、図１に示すように小指挿入部２は片手の小指を完全に挿入するキャップ形状としている。ただし、この小指挿入部２は、図６に示すように、途中で切り取られた切取部２ａを有する形状としてもよい。こうすることにより、小指挿入部２に小指を挿入した状態で小指の先が露出して、小指挿入部２内の通気性が良くなり、小指が蒸れるのを防止することができる。
【００１９】
また、本実施例のハンディ型黒板消し１は、図１又は図２に示すように、上記の小指挿入部２から小指側の手の側部を包囲するように延長した側当て部３を有するもので、これらの小指挿入部２と側当て部３とは連続した布等の材料を所定の形状に切開し、小指挿入部２を筒状又はキャップ状に縫い合わせることによって形成することができる。この小指挿入部２と側当て部３との連続的な材料を形成する素材としては、布の他に、皮革、合成樹脂製布、合成樹脂製皮革、不織布さらにはメッシュ状の合成樹脂等によって形成することが可能である。
【００２０】
さらに、本実施例のハンディ型黒板消し１においては、図４に示すように、上記の側当て部３に拭取り部材４を取り付けた構成としている。この拭取り部材４は、黒板に書かれた白墨を拭き取るためのもので、従来の黒板消しの拭き取り面に使用されていた布材やその他の白墨を吸着する性質を有する材料を使用すればよい。
【００２１】
また、この拭取り部材４の取付け方法は、図４に示すように、少なくとも側当て部３に縫着（縫製用糸５）によって取り付けるか、又は、図５に示すように、側当て部３の表側と拭取り部材４の裏側にマジックテープ（登録商標）の名称で知られる周知の面ファスナー６、６を取付けて拭取り部材４を着脱自在とすることにより、拭取り部材４を交換可能とすることができる。なお、拭取り部材４を少なくとも側当て部３に取付ける構成としたのは、拭取り部材４を小指挿入部２の側に延長して取り付けても何等差し支えなく使用することができるからである。
【００２２】
また、本実施例のハンディ型黒板消し１においては、上記のように小指挿入部２を片手の小指に挿入すると共に、側当て部３を片手の側部に当てた状態で拭取り部材４を黒板に擦りつけると、側当て部３が手の側部からずれたり、小指挿入部２が小指から脱落したりするおそれがある。
【００２３】
このため、図３に示すように、側当て部３から手の甲側に延長した甲側延長部７ａと手の平側に延長した手の平側延長部７ｂとにゴムバンド８の両端部を縫製用糸５で固定し、片手の小指を小指挿入部２に挿入した状態をゴムバンド８で緩やかに止めることによって、該ハンディ型黒板消し１を手に装着した際のずれを防止し、或いは装着状態における脱落を防止することができる。
【００２４】
また、図３に示すように、側当て部３の手首側に取り付けたバンド９の裏側と甲側延長部７ａの手首側に面ファスナー６、６を取付けることによって、図１に示すように、取り外しの容易な着脱式バンド９とすることも可能であり、上記のゴムバンド８と同様に、ハンディ型黒板消し１を手に装着した際のずれを防止し、或いは装着状態における脱落を防止することができる。なお、バンド９は、ゴムバンドを使用して、その両端を甲側延長部７ａの手首側と手の平側延長部７ｂの手首側に縫製用糸によって取り付けるようにしてもよい。
【００２５】
上記の構成によるハンディ型黒板消し１を使用するには、図１に示すように、チョークを持つ方の手に本考案のハンディ型黒板消し１を上記のように装着すると、チョークＣを持ったままの状態で、手の側部の拭取り部材４を黒板に擦りつけることによって、そのまま黒板の文字等を消すことが可能となる。
【実施例２】
【００２６】
本実施例のハンディ型黒板消し１は、実施例１の構造をより簡易にしたものである。即ち、図６に示すように、小指挿入部２は、小指を挿入した状態で、小指の先部が露出するように、途中で切り取られた切取部２ａを有するものとして、内部の通気性を良くしてある。また、実施例１の側当て部３から手の甲側と手の平側に延長したバンドをなくし、側当て部３の手首側に取り付けたバンド９の裏側と甲側延長部７ａの手首側に面ファスナー６、６を取付けることによって、着脱式バンド９を構成したものであり、その他の構成は実施例１と同様であり、また使用方法も同様である。
【産業上の利用可能性】
【００２７】
本考案のハンディ型黒板消しは、黒板消しを手に装着するハンディタイプの黒板消しであって、チョークを黒板消しに持ち替えることなく、チョークを持った手でそのまま黒板を消すことができ、チョークを持っていない手を自由に使用することができるハンディ型黒板消しとして利用することが可能となる。
【図面の簡単な説明】
【００２８】
【図１】本考案の実施例１によるハンディ型黒板消しを片手に装着してチョークを持った状態を示す斜視図である。
【図２】本考案の実施例１によるハンディ型黒板消しを片手に装着して手の平を広げた状態を示す斜視図である。
【図３】本考案の実施例１によるハンディ型黒板消しの斜視図である。
【図４】本考案の実施例１によるハンディ型黒板消しを片手に装着した手の側部側を示す斜視図であって、拭取り部材を側当て部に縫着によって取付けた状態を示す。
【図５】本考案の実施例１によるハンディ型黒板消しを片手に装着した手の側部側を示す斜視図であって、拭取り部材を側当て部に面ファスナーによって取付ける状態を示す。
【図６】本考案の実施例２によるハンディ型黒板消しの斜視図である。
【図７】特許文献１の板消しの斜視図である。
【符号の説明】
【００２９】
１  ハンディ型黒板消し
２  小指挿入部
２ａ  切取部
３  側当て部
４  拭取り部材
５  縫製用糸
６  面ファスナー
７ａ  甲側の延長部
７ｂ  手の平側の延長部
８  ゴムバンド
９  着脱式バンド
Ｃ  チョーク
【図１】
0003113621.tif 000003
【図２】
0003113621.tif 000004
【図３】
0003113621.tif 000005
【図４】
0003113621.tif 000006
【図５】
0003113621.tif 000007
【図６】
0003113621.tif 000008
【図７】
0003113621.tif 000009